(57)【要約】【課題】  ユーザ単位に波長を割り当てる場合に、ＯＬＴ側におけるＥ／Ｏ変換装置のユーザ単位での用意を不要とすることを目的とする。【解決手段】  波長データ複写装置３−２であって、波長変換光を出力する波長変換光光源３−２−３と、波長変換光光源３−２−３から出力された波長変換光を合波し出力する波長変換光合波用波長フィルタ３−２−２−２と、波長変換光合波用波長フィルタ３−２−２−２の出力信号が伝搬する光導波路の屈折率を、信号光を用いて変化させる光電力制御型屈折率変化媒体３−２−２−１と、光導波路を通過した波長変換光合波用波長フィルタ３−２−２−２の出力信号を干渉させるマッハチェンダ干渉計３−２−２−３と、マッハツェンダ干渉計において干渉させた光信号を分波し出力する波長変換光分波用波長フィルタ３−２−１と、を備える。【選択図】          図１
2005051459.tif 000002
【特許請求の範囲】
【請求項１】
波長変換光を出力する波長変換光光源と、
前記波長変換光光源から出力された波長変換光を合波し出力する波長変換光合波用波長フィルタと、
前記波長変換光合波用波長フィルタの出力信号が伝搬する光導波路の屈折率を、信号光を用いて変化させる光電力制御型屈折率変化媒体と、
前記光導波路を通過した前記波長変換光合波用波長フィルタの出力信号を干渉させるマッハチェンダ干渉計と、
前記マッハツェンダ干渉計において干渉させた光信号を分波し出力する波長変換光分波用波長フィルタと、
を備えたことを特徴とする波長データ複写装置。
【請求項２】
前記波長変換光光源は、
レーザーダイオードと、
前記レーザーダイオードを駆動するレーザーダイオード駆動回路と、
前記レーザーダイオードから出力された光の電力を検知するフォトダイオードと、
前記フォトダイオードの出力信号に基づいて前記レーザーダイオード駆動回路を制御し、前記レーザーダイオードから出力される光の電力を一定の値に一致させる制御回路と、
を具備することを特徴とする請求項１に記載の波長データ複写装置。
【請求項３】
前記波長変換光光源は、
第1のレーザーダイオードと、
前記第1のレーザーダイオードを駆動する第1のレーザーダイオード駆動回路と、
前記第1のレーザーダイオードから出力された光の電力を検知する第1のフォトダイオードと、
第２のレーザーダイオードと、
前記第２のレーザーダイオードを駆動する第２のレーザーダイオード駆動回路と、
前記第２のレーザーダイオードから出力された光の電力を検知する第２のフォトダイオードと、
前記第1のフォトダイオードの出力信号と前記第２のフォトダイオードの出力信号とに基づいて前記第２のレーザーダイオード駆動回路を制御し、前記第２のレーザーダイオードから出力される光の電力を一定の値に一致させる制御回路と、
を具備することを特徴とする請求項１に記載の波長データ複写装置。
【請求項４】
ＯＬＴと、前記ＯＬＴに光ファイバを介して接続された第1の波長フィルタと、前記第1の波長フィルタに光ファイバを介して接続されたＯＮＵと、を有するマルチキャスト対応波長多重システムにおいて、
前記ＯＬＴは、
１つのマルチキャスト信号送信用のＥ／Ｏ変換装置と、
前記１つのマルチキャスト信号送信用のＥ／Ｏ変換装置に光ファイバを介して接続された請求項１〜請求項３のいずれか1項に記載の波長データ複写装置と、
データ送信用のＥ／Ｏ変換装置と、
データ受信用のＯ／Ｅ変換装置と、
前記請求項１〜請求項３のいずれか1項に記載の波長データ複写装置、前記データ送信のＥ／Ｏ変換装置、および前記データ受信用のＯ／Ｅ変換装置に光ファイバを介して接続され、かつ、前記第1の波長フィルタにも光ファイバを介して接続された第２の波長フィルタと、
を備え、
前記ＯＮＵは、
マルチキャスト信号受信用のＯ／Ｅ変換装置と、
データ送信用のＥ／Ｏ変換装置と、
データ受信用のＯ／Ｅ変換装置と、
前記マルチキャスト信号受信用のＯ／Ｅ変換装置、データ送信用のＥ／Ｏ変換装置、およびデータ受信用のＯ／Ｅ変換装置に光ファイバを介して接続され、かつ、前記第1の波長フィルタにも光ファイバを介して接続された第３の波長フィルタと、
を備える、
ことを特徴とするマルチキャスト対応波長多重システム。
【発明の詳細な説明】
【技術分野】
【０００１】
本発明は、マルチキャスト対応波長多重システムに関し、特に、ユーザ単位に波長を割り当てたマルチキャスト対応波長多重システムに関する。
【背景技術】
【０００２】
波長多重システムにおいては、ユーザ単位で波長を割り当てる場合、各サービス用の波長をユーザ単位で用意するとともに、それを分波・合波する機能デバイスを用意する必要がある。
【０００３】
図１２は、ユーザ単位に波長を割り当てた、従来のマルチキャスト対応波長多重システムを示す図である（非特許文献１参照）。
【０００４】
図１２に示すように、従来のマルチキャスト対応波長多重システムでは、ユーザ単位に波長を割り当てる場合、データ通信用波長としてλ１ＤＤ、λ１ＤＵ、…、λｋＤＤ、λｋＤＵ、…（但し、Ｄは下り信号、Ｕは上り信号に対応）と、マルチキャスト用波長としてλ１Ｍ、…、λｋＭ、…と、を用意していた。
【０００５】
また、従来のマルチキャスト対応波長多重システムでは、ユーザ単位に波長を割り当てる場合、局側（ＯＬＴ側）に、データ送信用の電気／光変換装置（Ｔ１ｘ（Ｄ）、Ｔ１ｘ（Ｍ）、…、Ｔｋｘ（Ｄ）、Ｔｋｘ（Ｍ）、…）と、データ受信用の光／電気変換装置（Ｒ１ｘ（Ｄ）、…、Ｒｋｘ（Ｍ）、…）と、をユーザ単位（波長単位）で用意していた。なお、以下では、電気／光変換装置をＥ／Ｏ変換装置と呼び、光／電気変換装置をＯ／Ｅ変換装置と呼ぶ。
【０００６】
また、従来のマルチキャスト対応波長多重システムでは、ユーザ単位に波長を割り当てる場合、ユーザ側（ＯＮＵ側）に、データ送信のＥ／Ｏ変換装置（Ｔ１ｘ（Ｄ）、…、Ｔｋｘ（Ｄ）、…）と、データ受信用のＯ／Ｅ変換装置（Ｒ１ｘ（Ｄ）、…、Ｒｋｘ（Ｄ）、…）と、マルチキャスト信号受信用のＯ／Ｅ変換装置（Ｒ１ｘ（Ｍ）、…、Ｒｋｘ（Ｍ）、…）と、を用意していた。
【０００７】
なお、従来より、入力信号光電力／波長および出力用ＣＷ光電力／波長特性に基づいて、１対１での波長変換を行う波長変換装置（Ｗａｖｅｌｅｎｇｔｈ  Ｃｏｎｖｅｒｔｅｒ）が知られている（特許文献２参照）。
【非特許文献１】Ｒｏｂｅｒｔ  Ｄ．Ｆｅｌｄｍａｎ，  Ｅ．Ｅ．Ｈａｒｓｔｅａｄ，  Ｓ．Ｊｉａｎｇ，  Ｔｈｏｍａｓ  Ｈ．Ｗｏｏｄ  ａｎｄ  Ｍａｒｔｉｎ  Ｚｉｒｎｇｉｂｌ，「Ａｎ  Ｅｖａｌｕａｔｉｏｎ  ｏｆ  Ａｒｃｈｉｔｅｃｔｕｒｅｓ  Ｉｎｃｏｒｐｏｒａｔｉｎｇ  Ｗａｖｅｌｅｎｇｔｈ  Ｄｉｖｉｓｉｏｎ  Ｍｕｌｔｉｐｌｅｘｉｎｇ  ｆｏｒ  Ｂｒｏａｄ−Ｂａｎｄ  Ｆｉｂｅｒ  Ａｃｃｅｓｓ」．，ｖｏ．１６，  ，Ｊ．Ｌｉｇｈｔｗａｖｅ  Ｔｅｃｈｎｏｌ  １９９８．  ，  ｐｐ．１５４６−１５５９
【非特許文献２】「特集論文：フォトニックネットワークを実現する波長変換デバイス」、ＮＴＴ  Ｒ＆Ｄ、２００２年９月号、Ｖｏｌ．５１、Ｎｏ．９
【発明の開示】
【発明が解決しようとする課題】
【０００８】
しかしながら、上記従来のマルチキャスト対応波長多重システムでは、上記したように、波長の異なるＥ／Ｏ装置を局側（ＯＬＴ側）においてユーザ単位で用意しなければならない。
【０００９】
したがって、上記従来のマルチキャスト対応波長多重システムでは、システム構築コストが増大していた。また、Ｅ／Ｏ変換装置のデータ変調速度はシステム速度の律則要因となるため、上記従来のマルチキャスト対応波長多重システムでは、システム速度の高速化が困難であった。
【００１０】
よって、上記従来のマルチキャスト対応波長多重システムでは、超高速全光型マルチキャストシステムを構築できなかった。
【００１１】
また、従来の波長変換装置（Ｗａｖｅｌｅｎｇｔｈ  Ｃｏｎｖｅｒｔｅｒ）（特許文献２参照）では、１対１での波長変換を行うことができても、１対Ｎでの波長変換を行うことができなかった。
【００１２】
そこで、本発明は、かかる事情に鑑み、ユーザ単位に波長を割り当てる場合に、ＯＬＴ側におけるＥ／Ｏ変換装置のユーザ単位での用意を不要とする、波長データ複写装置およびマルチキャスト対応波長多重システムを提供することを目的とする。
【課題を解決するための手段】
【００１３】
本発明によれば、上記課題は、次の手段により解決される。
【００１４】
第１の発明は、波長変換光を出力する波長変換光光源と、前記波長変換光光源から出力された波長変換光を合波し出力する波長変換光合波用波長フィルタと、前記波長変換光合波用波長フィルタの出力信号が伝搬する光導波路の屈折率を、信号光を用いて変化させる光電力制御型屈折率変化媒体と、前記光導波路を通過した前記波長変換光合波用波長フィルタの出力信号を干渉させるマッハチェンダ干渉計と、前記マッハツェンダ干渉計において干渉させた光信号を分波し出力する波長変換光分波用波長フィルタと、を備えたことを特徴とする波長データ複写装置である。
【００１５】
第２の発明は、前記波長変換光光源は、レーザーダイオードと、前記レーザーダイオードを駆動するレーザーダイオード駆動回路と、前記レーザーダイオードから出力された光の電力を検知するフォトダイオードと、前記フォトダイオードの出力信号に基づいて前記レーザーダイオード駆動回路を制御し、前記レーザーダイオードから出力される光の電力を一定の値に一致させる制御回路と、を具備することを特徴とする第１の発明に係る波長データ複写装置である。
【００１６】
第３の発明は、前記波長変換光光源は、第1のレーザーダイオードと、前記第1のレーザーダイオードを駆動する第1のレーザーダイオード駆動回路と、前記第1のレーザーダイオードから出力された光の電力を検知する第1のフォトダイオードと、第２のレーザーダイオードと、前記第２のレーザーダイオードを駆動する第２のレーザーダイオード駆動回路と、前記第２のレーザーダイオードから出力された光の電力を検知する第２のフォトダイオードと、前記第1のフォトダイオードの出力信号と前記第２のフォトダイオードの出力信号とに基づいて前記第２のレーザーダイオード駆動回路を制御し、前記第２のレーザーダイオードから出力される光の電力を一定の値に一致させる制御回路と、を具備することを特徴とする第１の発明に係る波長データ複写装置である。
【００１７】
第４の発明は、ＯＬＴと、前記ＯＬＴに光ファイバを介して接続された第1の波長フィルタと、前記第1の波長フィルタに光ファイバを介して接続されたＯＮＵと、を有するマルチキャスト対応波長多重システムにおいて、前記ＯＬＴは、１つのマルチキャスト信号送信用のＥ／Ｏ変換装置と、前記１つのマルチキャスト信号送信用のＥ／Ｏ変換装置に光ファイバを介して接続された第１の発明〜第３の発明のいずれか１つに係る波長データ複写装置と、データ送信用のＥ／Ｏ変換装置と、データ受信用のＯ／Ｅ変換装置と、前記第１の発明〜第３の発明のいずれか１つに係る波長データ複写装置、前記データ送信のＥ／Ｏ変換装置、および前記データ受信用のＯ／Ｅ変換装置に光ファイバを介して接続され、かつ、前記第1の波長フィルタにも光ファイバを介して接続された第２の波長フィルタと、を備え、前記ＯＮＵは、マルチキャスト信号受信用のＯ／Ｅ変換装置と、データ送信用のＥ／Ｏ変換装置と、データ受信用のＯ／Ｅ変換装置と、前記マルチキャスト信号受信用のＯ／Ｅ変換装置、データ送信用のＥ／Ｏ変換装置、およびデータ受信用のＯ／Ｅ変換装置に光ファイバを介して接続され、かつ、前記第1の波長フィルタにも光ファイバを介して接続された第３の波長フィルタと、を備える、ことを特徴とするマルチキャスト対応波長多重システムである。
【発明の効果】
【００１８】
以上説明したように、本発明は、位相変調を利用した波長変換装置（Ｗａｖｅｌｅｎｇｔｈ  Ｃｏｎｖｅｒｔｅｒ）および波長変換光光源によって、１つ光信号を波長が異なるＮ個（Ｎは２以上）の光信号に変換する。
【００１９】
したがって、本発明によれば、マルチキャスト対応波長多重システムでユーザ単位に波長を割り当てる場合に、ＯＬＴ側におけるＥ／Ｏ変換装置をユーザ単位で用意する必要がない。
【００２０】
よって、本発明によれば、システム構築コストの低減化およびシステム速度の高速化を図ることができるため、超高速全光アクセスシステムを実現することができる。
【発明を実施するための最良の形態】
【００２１】
以下に、添付した図面を参照しつつ、本発明を実施するための最良の形態について説明する。
【００２２】
図８は、本発明の実施の形態に係るマルチキャスト対応波長多重システムを示す図である。
【００２３】
図８に示すように、本発明の実施の形態に係るマルチキャスト対応波長多重システムは、少なくとも１つのＯＮＵ１と、波長フィルタ（ＷＤＭ）２と、ＯＬＴ３とを有している。
【００２４】
各ＯＮＵ１は、データ送信のＥ／Ｏ変換装置（Ｔ１ｘ（Ｄ））１−１と、データ受信用のＯ／Ｅ変換装置（Ｒ１ｘ（Ｄ））１−２と、マルチキャスト信号受信用のＯ／Ｅ変換装置（Ｒ１ｘ（Ｍ））１−３と、波長フィルタ（ＷＤＭ）１−４と、を備えている。
【００２５】
ＯＬＴ３は、１つのマルチキャスト信号送信用のＥ／Ｏ変換装置３−１と、本発明の実施の形態に係る波長データ複写装置３−２と、少なくとも１つのデータ送信のＥ／Ｏ変換装置（Ｔ１ｘ（Ｄ）、…、Ｔｋｘ（Ｄ）、…）３−３と、少なくとも１つのデータ受信用のＯ／Ｅ変換装置（Ｒ１ｘ（Ｄ）、…、Ｒｋｘ（Ｄ）、…）３−４と、波長フィルタ（ＷＤＭ）３−５と、を備えている。
【００２６】
図１は、本発明の実施の形態に係る波長データ複写装置３−２を示す図である。
【００２７】
図１に示すように、本発明の実施の形態に係る波長データ複写装置３−２は、波長変換光分波用波長フィルタ（ＷＤＭ）３−２−１と、波長変換装置（Ｗａｖｅｌｅｎｇｔｈ  Ｃｏｎｖｅｒｔｅｒ）３−２−２と、波長変換光光源３−２−３と、を備えている。
【００２８】
図２は、波長変換装置（Ｗａｖｅｌｅｎｇｔｈ  Ｃｏｎｖｅｒｔｅｒ）３−２−２を示す図である。
【００２９】
図２に示すように、波長変換装置（Ｗａｖｅｌｅｎｇｔｈ  Ｃｏｎｖｅｒｔｅｒ）３−２−２は、光電力制御型屈折率変化媒体（Ｖａｒｉａｂｌｅ  Ｐｈａｓｅ  Ｓｈｉｆｔｅｒ）３−２−２−１と、マッハツェンダ干渉計３−２−２−３と、波長変換光合波用波長フィルタ３−２−２−２と、を具備している。
【００３０】
図２の波長変換装置（Ｗａｖｅｌｅｎｇｔｈ  Ｃｏｎｖｅｒｔｅｒ）３−２−２は、光電力により波長変換光が伝搬する光導波路の屈折率を変化させる光電力制御型屈折率変化媒体（Ｖａｒｉａｂｌｅ  Ｐｈａｓｅ  Ｓｈｉｆｔｅｒ：半導体増幅器など）３−２−２−１とマッハツェンダ干渉計３−２−２−３とを利用して、波長変換光合波用波長フィルタ３−２−２−２で合波された変換光（λＣＷ）を入力信号光（λｓｉｇｎａｌ）で波長変換し、出力信号とする。
【００３１】
具体的には、波長変換装置（Ｗａｖｅｌｅｎｇｔｈ  Ｃｏｎｖｅｒｔｅｒ）は、まず、波長変換光合波用波長フィルタ３−２−２−２において、変換光（λＣＷ）を合波する。
【００３２】
つぎに、波長変換装置（Ｗａｖｅｌｅｎｇｔｈ  Ｃｏｎｖｅｒｔｅｒ）は、光電力制御型屈折率変化媒体（Ｖａｒｉａｂｌｅ  Ｐｈａｓｅ  Ｓｈｉｆｔｅｒ：半導体増幅器など）３−２−２−１において、入力された信号光のハイレベル／ローレベル（Ｈ／Ｌ）により、波長変換光合波用波長フィルタ３−２−２−２から出力された変換光（λＣＷ）が伝搬する光導波路の屈折率を変化させ、光導波路の右側伝搬光と左側伝搬光との位相差を０／πとする。
【００３３】
そして、波長変換装置（Ｗａｖｅｌｅｎｇｔｈ  Ｃｏｎｖｅｒｔｅｒ）は、マッハツェンダ干渉計３−２−２−３において、光導波路の右側伝搬光と左側伝搬光とを干渉させる。
【００３４】
本発明の実施の形態に係る波長データ複写装置３−２は、波長変換装置（Ｗａｖｅｌｅｎｇｔｈ  Ｃｏｎｖｅｒｔｅｒ）を１対１の波長変換にのみ適用していた従来とは異なり、波長変換特性の変換用光電力依存性および波長依存性を利用することで、波長変換装置（Ｗａｖｅｌｅｎｇｔｈ  Ｃｏｎｖｅｒｔｅｒ）における１対Ｎのデータ複写を可能とする。
【００３５】
本発明の実施の形態に係る波長データ複写装置３−２においては、波長変換光光源３−２−３から出力された波長変換光（λ１Ｍ、…、λｋＭ、…）と信号光（λｓｉｇｎａｌ）とが波長変換装置（Ｗａｖｅｌｅｎｇｔｈ  Ｃｏｎｖｅｒｔｅｒ）３−２−２に入力される。そして、波長変換装置（Ｗａｖｅｌｅｎｇｔｈ  Ｃｏｎｖｅｒｔｅｒ）３−２−２から出力された光出力信号（λ１Ｍ、…、λｋＭ、…）が波長変換光分波用波長フィルタ（ＷＤＭ）３−２−１に入力され、分波される。
【００３６】
以上説明した本発明の実施の形態に係るマルチキャスト対応波長多重システムによれば、波長フィルタ（ＷＤＭ）を利用して通信用データとマルチキャスト用データとをユーザ単位で振り分ける場合に、図１２の従来のマルチキャスト対応波長多重システムと比較して、ＯＬＴ側のマルチキャスト用のＯ／Ｅ変換装置が１つで済むという形で、マルチキャスト用データ発生部が簡略化される。
【００３７】
したがって、本発明の実施の形態に係るマルチキャスト対応波長多重システムによれば、システム構築コストの低減化およびシステム速度の高速化を図ることができる。
【実施例１】
【００３８】
図３は、本発明の実施例１に係る波長データ複写装置３−２を示す図である。
【００３９】
図３に示すように、本発明の実施例１に係る波長データ複写装置３−２は、波長変換光分波用波長フィルタ（ＷＤＭ）３−２−１と波長変換装置（Ｗａｖｅｌｅｎｇｔｈ  Ｃｏｎｖｅｒｔｅｒ）３−２−２と多波長源（Ｍｕｌｔｉ−ｗａｖｅｌｅｎｇｔｈ  Ｓｏｕｒｃｅ）３−２−３−１とを備え、複写元データ入力ポートと複写用ＣＷ入力ポートと複写データ出力ポートとを有している。
【００４０】
実施例１においては、多波長源（Ｍｕｌｔｉ−ｗａｖｅｌｅｎｇｔｈ  Ｓｏｕｒｃｅ）３−２−３−１から出力された波長変換光（λ１Ｍ、…、λｋＭ、…）と信号光（λｓｉｇｎａｌ）とが波長変換装置（Ｗａｖｅｌｅｎｇｔｈ  Ｃｏｎｖｅｒｔｅｒ）３−２−２に入力される。そして、波長変換装置（Ｗａｖｅｌｅｎｇｔｈ  Ｃｏｎｖｅｒｔｅｒ）３−２−２から出力された光出力信号（λ１Ｍ、…、λｋＭ、…）が波長変換光分波用波長フィルタ（ＷＤＭ）３−２−１に入力され、分波される。
【００４１】
多波長源（Ｍｕｌｔｉ−ｗａｖｅｌｅｎｇｔｈ  Ｓｏｕｒｃｅ）３−２−３−１は、ＬＤ３−２−３−１−１とＬＤ駆動回路（Ｄｒｉｖｅｒ）３−２−３−１−２とＬＤ出力電力検出用ＰＤ（ＭＰＤ）３−２−３−１−３とＬＤ出力電力制御回路（Ｃｏｎｔｒｏｌ）３−２−３−１−４とを有している。
【００４２】
図４は、実施例１に係るＬＤ出力電力制御回路（Ｃｏｎｔｒｏｌ）３−２−３−１−４の動作を説明するための変換光電力の制御前／制御後の光電力分布図である。なお、ＬＤ出力電力制御回路（Ｃｏｎｔｒｏｌ）３−２−３−１−４が光電力を制御する前は、変換光（λ１Ｍ、…、λｋＭ、…）の全光電力が安定化電力Ｐｓｔと異なっていた（大でも小でもよい）と仮定する。
【００４３】
まず、ＬＤ出力電力制御回路（Ｃｏｎｔｒｏｌ）３−２−３−１−４は、各ＬＤ３−２−３−１−１に付属したＬＤ出力電力検出用ＰＤ（ＭＰＤ）３−２−３−１−３により検知された変換用光電力の和ΣＰおよび電力制御用増倍係数αを（数１−１）および（数１−２）にて求める。
【００４４】
そして、ＬＤ出力電力制御回路（Ｃｏｎｔｒｏｌ）３−２−３−１−４は、ＬＤ駆動回路（Ｄｒｉｖｅｒ）３−２−３−１−２を制御することによって変換光の出力電力を制御し、変換光電力を安定化電力Ｐｓｔに一致させる。
【００４５】
【数１−１】
2005051459.tif 000003
【００４６】
【数１−２】
2005051459.tif 000004
【００４７】
以上説明したように、実施例１に係る波長データ複写装置３−２は、多波長源（Ｍｕｌｔｉ−ｗａｖｅｌｅｎｇｔｈ  Ｓｏｕｒｃｅ）３−２−３−１を備える。そして、この多波長源（Ｍｕｌｔｉ−ｗａｖｅｌｅｎｇｔｈ  Ｓｏｕｒｃｅ）３−２−３−１は、波長変換用光電力を光源（波長）ごとに制御できるＬＤ出力電力制御回路（Ｃｏｎｔｒｏｌ）３−２−３−１−４を具備する。
【００４８】
したがって、実施例１に係る波長データ複写装置３−２によれば、波長変換装置（Ｗａｖｅｌｅｎｇｔｈ  Ｃｏｎｖｅｒｔｅｒ）３−２−２に入力される変換用光電力の安定化を図ることができる。よって、実施例１に係る波長データ複写装置３−２によれば、変換波長範囲の拡大および変換可能なデータ速度の増大を図ることができる。なお、波長変換装置（Ｗａｖｅｌｅｎｇｔｈ  Ｃｏｎｖｅｒｔｅｒ）３−２−２に入力される変換用光電力の安定化を図ることによって、変換波長範囲の拡大および変換可能なデータ速度の増大を図ることができるとする原理は、後述する。
【実施例２】
【００４９】
図５は、本発明の実施例２に係る波長データ複写装置３−２を示す図である。
【００５０】
図５に示すように、実施例２に係る波長データ複写装置３−２は、多波長源（Ｍｕｌｔｉ−ｗａｖｅｌｅｎｇｔｈ  Ｓｏｕｒｃｅ）３−２−３−１とは別に波長変換光電力安定化用光源（Ｈｏｌｄｉｎｇ  Ｓｏｕｒｃｅ）３−２−３−２を備える点で、実施例１に係る波長データ複写装置と相違する。この波長変換光電力安定化用光源（Ｈｏｌｄｉｎｇ  Ｓｏｕｒｃｅ）３−２−３−２は、ＬＤ３−２−３−２−１とＬＤ駆動回路（Ｄｒｉｖｅｒ）３−２−３−２−２とＬＤ出力電力検出用ＰＤ（ＭＰＤ）３−２−３−２−３とを具備している。
【００５１】
実施例２においては、多波長源（Ｍｕｌｔｉ−ｗａｖｅｌｅｎｇｔｈ  Ｓｏｕｒｃｅ）３−２−３−１から出力された波長変換光（λ１Ｍ、…、λｋＭ、…）と、信号光（λｓｉｇｎａｌ）と、波長変換光電力安定化用光源（Ｈｏｌｄｉｎｇ  Ｓｏｕｒｃｅ）３−２−３−２から出力され波長変換光（λ１Ｍ、…、λｋＭ、…）の波長とは異なる波長を有する波長群Ｍ波（Ｍは１以上）とが、波長変換装置（Ｗａｖｅｌｅｎｇｔｈ  Ｃｏｎｖｅｒｔｅｒ）３−２−２に入力される。そして、波長変換装置（Ｗａｖｅｌｅｎｇｔｈ  Ｃｏｎｖｅｒｔｅｒ）３−２−２から出力された光出力信号（λ１Ｍ、…、λｋＭ、…）が波長変換光分波用波長フィルタ（ＷＤＭ）３−２−１に入力され、分波される。
【００５２】
図６は、実施例２に係るＬＤ出力電力制御回路（Ｃｏｎｔｒｏｌ）３−２−３−１−４の動作を説明するための変換光電力の制御前／制御後の光電力分布図である。なお、実施例２に係るＬＤ出力電力制御回路（Ｃｏｎｔｒｏｌ）３−２−３−１−４が光電力を制御する前は、変換光（λ１Ｍ、…、λｋＭ、…）の全光電力が安定化電力Ｐｓｔと異なっていた（Ｐｓｔが大）と仮定する。
【００５３】
まず、実施例２に係るＬＤ出力電力制御回路（Ｃｏｎｔｒｏｌ）３−２−３−１−４は、各ＬＤ３−２−３−１−１に付属したＬＤ出力電力検出用ＰＤ（ＭＰＤ）３−２−３−１−３により検知された変換用光電力の和ΣＰおよび安定化電力の差を（数２）にて求める。
【００５４】
そして、実施例２に係るＬＤ出力電力制御回路（Ｃｏｎｔｒｏｌ）３−２−３−１−４は、波長変換光電力安定化用光源（Ｈｏｌｄｉｎｇ  Ｓｏｕｒｃｅ）３−２−３−２のＬＤ駆動回路（Ｄｒｉｖｅｒ）３−２−３−２−２を制御することによってＬＤ３−２−３−２−１の出力電力を制御し、変換光電力を安定化電力Ｐｓｔに一致させる。
【００５５】
【数２】
2005051459.tif 000005
【００５６】
以上説明したように、実施例２に係る波長データ複写装置３−２は、多波長源（Ｍｕｌｔｉ−ｗａｖｅｌｅｎｇｔｈ  Ｓｏｕｒｃｅ）３−２−３−１と波長変換光電力安定化用光源（Ｈｏｌｄｉｎｇ  Ｓｏｕｒｃｅ）３−２−３−２とを備える。そして、多波長源（Ｍｕｌｔｉ−ｗａｖｅｌｅｎｇｔｈ  Ｓｏｕｒｃｅ）３−２−３−１が具備するＬＤ出力電力制御回路（Ｃｏｎｔｒｏｌ）３−２−３−１−４は、波長変換光電力安定化用光源（Ｈｏｌｄｉｎｇ  Ｓｏｕｒｃｅ）３−２−３−２の出力電力を制御する。
【００５７】
したがって、実施例２に係る波長データ複写装置３−２によれば、波長変換装置（Ｗａｖｅｌｅｎｇｔｈ  Ｃｏｎｖｅｒｔｅｒ）３−２−２に入力される変換用光電力の安定化を図ることができる。よって、実施例２に係る波長データ複写装置３−２によれば、変換波長範囲の拡大および変換可能なデータ速度の増大を図ることができる。なお、波長変換装置（Ｗａｖｅｌｅｎｇｔｈ  Ｃｏｎｖｅｒｔｅｒ）３−２−２に入力される変換用光電力の安定化を図ることによって、変換波長範囲の拡大および変換可能なデータ速度の増大を図ることができるとする原理は、後述する。
【実施例３】
【００５８】
つぎに、本発明の実施例３に係る波長データ複写装置３−２について説明する。
実施例３に係る波長データ複写装置３−２は、ＬＤ出力電力制御回路（Ｃｏｎｔｒｏｌ）３−２−３−１−４が、（数３）に従って波長変換光電力安定化用光源（Ｈｏｌｄｉｎｇ  Ｓｏｕｒｃｅ）３−２−３−２のＬＤ駆動回路（Ｄｒｉｖｅｒ）３−２−３−２−２を制御する点で、実施例２に係る波長データ複写装置３−２と相違する。（数３）に従って波長変換光電力安定化用光源（Ｈｏｌｄｉｎｇ  Ｓｏｕｒｃｅ）３−２−３−２のＬＤ駆動回路（Ｄｒｉｖｅｒ）３−２−３−２−２を制御することにより、波長変換光（λ１Ｍ、…、λｋＭ、…）の電力変動に依存しないように波長変換光電力安定化用光源（Ｈｏｌｄｉｎｇ  Ｓｏｕｒｃｅ）３−２−３−２の出力電力を高出力化できる。
【００５９】
【数３】
2005051459.tif 000006
【００６０】
図７は、波長データ複写装置３−２へ入力される全光電力の安定化用光源出力電力依存性を示す図である。なお、図７においては、波長変換用光電力を、１〜８倍（Ｎｕｓｅｒ＝１〜Ｎｕｓｅｒ＝８に相当）に変化させている。
【００６１】
以上説明したように、実施例３に係る波長データ複写装置３−２によれば、安定化用光源の出力電力を高出力化できるため、波長データ複写装置３−２への変換用光電力の安定化を図ることができる。よって、実施例３に係る波長データ複写装置３−２によれば、変換波長範囲の拡大および変換可能なデータ速度の増大を図ることができる。
【００６２】
つぎに、波長変換装置（Ｗａｖｅｌｅｎｇｔｈ  Ｃｏｎｖｅｒｔｅｒ）３−２に入力される変換用光電力の安定化を図ることによって、変換波長範囲の拡大および変換可能なデータ速度の増大を図ることができるとする原理を、詳細に説明する。
【００６３】
波長変換光群（データ複写用の波長が複数存在を意味する）の中の１波長を基準波長λ０とした場合、λ０から離れた波長（例えば、λ０＋Δλ）の波長変換後は図９に示すように０レベルパワー劣化が生じる。    
【００６４】
図１０は、波長変換後のパワー劣化の量を、基準波長λ０の光導波路内位相シフト量をパラメータとして示す図である。
【００６５】
図１０に示すように、基準波長λ０の位相シフト量を小さくする（図１０では、１０π→４π→２π）と、受信系で必要な消光比との兼ね合いがあるものの、０レベル劣化許容範囲内で適用可能（複写可能）な波長範囲が増大する。
【００６６】
また、図１１に示すように、波長変換における変換可能なデータ速度の最大値および位相シフト量は、波長データ複写装置３−２に入力する信号光λｓｉｇｎａｌおよび波長変換光（λ１Ｍ、…、λｋＭ、…）の入力パワーに依存する。
【００６７】
このように、図１０と図１１に示す波長変換特性によって、変換波長範囲拡大および変換可能なデータ速度の最大値は、波長データ複写装置３−２への波長変換光の高出力注入／波長変換光電力の出力安定化および複写する信号光の高出力注入により実現することができる。
【００６８】
よって、上述したように、波長変換装置（Ｗａｖｅｌｅｎｇｔｈ  Ｃｏｎｖｅｒｔｅｒ）３−２に入力される変換用光電力の安定化を図ることによって、変換波長範囲の拡大および変換可能なデータ速度の増大を図ることができる。
【図面の簡単な説明】
【００６９】
【図１】本発明の実施の形態に係る波長データ複写装置を示す図である。
【図２】波長変換装置（Ｗａｖｅｌｅｎｇｔｈ  Ｃｏｎｖｅｒｔｅｒ）を示す図である。
【図３】本発明の実施例１に係る波長データ複写装置を示す図である。
【図４】実施例１に係るＬＤ出力電力制御回路（Ｃｏｎｔｒｏｌ）３−２−３−１−４の動作を説明するための変換光電力の制御前／制御後の光電力分布図である。
【図５】本発明の実施例２に係る波長データ複写装置を示す図である。
【図６】実施例２に係るＬＤ出力電力制御回路（Ｃｏｎｔｒｏｌ）３−２−３−１−４の動作を説明するための変換光電力の制御前／制御後の光電力分布図である。
【図７】波長データ複写装置へ入力される全光電力の安定化用光源出力電力依存性を示す図である。
【図８】本発明の実施の形態に係るマルチキャスト対応波長多重システムを示す図である。
【図９】波長データ複写における０レベル劣化を示す図である。
【図１０】０レベル光電力の波長依存性（基準波長λ０）を示す図である。
【図１１】データ複写装置の位相シフト量およびデータ速度の入力変換光電力依存性を示す図である。
【図１２】ユーザ単位に波長を割り当てた、従来のマルチキャスト対応波長多重システムを示す図であるを示す図である。
【符号の説明】
【００７０】
１    ＯＮＵ
１−１    データ送信のＥ／Ｏ変換装置（Ｔ１ｘ（Ｄ））
１−２    データ受信用のＯ／Ｅ変換装置（Ｒ１ｘ（Ｄ））
１−３    マルチキャスト信号受信用のＯ／Ｅ変換装置（Ｒ１ｘ（Ｍ））
１−４    波長フィルタ（ＷＤＭ）
２    波長フィルタ（ＷＤＭ）
３    ＯＬＴ
３−１    マルチキャスト信号送信用のＥ／Ｏ変換装置
３−２    波長データ複写装置
３−２−１    波長変換光分波用波長フィルタ（ＷＤＭ）
３−２−２    波長変換装置（Ｗａｖｅｌｅｎｇｔｈ  Ｃｏｎｖｅｒｔｅｒ）
３−２−２−１    光電力制御型屈折率変化媒体（Ｖａｒｉａｂｌｅ  Ｐｈａｓｅ  Ｓｈｉｆｔｅｒ）
３−２−２−２    波長変換光合波用波長フィルタ
３−２−２−３    マッハツェンダ干渉計
３−２−３    波長変換光光源
３−２−３−１    多波長源（Ｍｕｌｔｉ−ｗａｖｅｌｅｎｇｔｈ  Ｓｏｕｒｃｅ）
３−２−３−１−１    ＬＤ（レーザーダイオード）
３−２−３−１−２    ＬＤ駆動回路（Ｄｒｉｖｅｒ）
３−２−３−１−３    ＬＤ出力電力検出用ＰＤ（ＭＰＤ）
３−２−３−１−４    ＬＤ出力電力制御回路（Ｃｏｎｔｒｏｌ）
３−２−３−２    波長変換光電力安定化用光源（Ｈｏｌｄｉｎｇ  Ｓｏｕｒｃｅ）
３−２−３−２−１    ＬＤ（レーザーダイオード）
３−２−３−２−２    ＬＤ駆動回路（Ｄｒｉｖｅｒ）
３−２−３−２−３    ＬＤ出力電力検出用ＰＤ（ＭＰＤ）
３−３    データ送信のＥ／Ｏ変換装置（Ｔ１ｘ（Ｄ）、…、Ｔｋｘ（Ｄ）、…）
３−４    データ受信用のＯ／Ｅ変換装置（Ｒ１ｘ（Ｄ）、…、Ｒｋｘ（Ｄ）、…）
３−５    波長フィルタ（ＷＤＭ）
【図１】
2005051459.tif 000007
【図２】
2005051459.tif 000008
【図３】
2005051459.tif 000009
【図４】
2005051459.tif 000010
【図５】
2005051459.tif 000011
【図６】
2005051459.tif 000012
【図７】
2005051459.tif 000013
【図８】
2005051459.tif 000014
【図９】
2005051459.tif 000015
【図１０】
2005051459.tif 000016
【図１１】
2005051459.tif 000017
【図１２】
2005051459.tif 000018